(57)【要約】【課題】本発明は、特定部位を押圧することの効果の向上を図った突起付きシートを提供する。【解決手段】突起付きシート１は、ベース２と、該ベース２に形成された突起部３と、を有し、突起部３が、主突起３１と、該主突起３１の周囲に位置する複数の副突起３２と、を備え、主突起３１が、足裏ＦＳの第２指Ｆ２と第３指Ｆ３との間の水かきＦｂから踵Ｆ１４側の後端Ｓｂまでを結ぶ仮想線Ｐ上において、水かきから、仮想線Ｐの全長の１／３の距離だけ後端側の位置にある湧泉Ｙを押圧可能に形成されている。【選択図】図２
2019146880.tif 000002
【特許請求の範囲】
【請求項１】
ベースと、該ベースに形成された突起部と、を有し、
前記突起部が、主突起と、該主突起の周囲に位置する複数の副突起と、を備え、
前記主突起が、足裏の第２指と第３指との間の水かきから踵側の後端までを結ぶ仮想線上において、前記水かきから、前記仮想線の全長の１／３の距離だけ前記後端側の位置を押圧可能に形成されていることを特徴とする突起付きシート。
【請求項２】
前記主突起は、経穴部位の湧泉を押圧可能な位置にあることを特徴とする請求項１に記載の突起付きシート。
【請求項３】
前記ベースは、踵側の後端が、足裏の前端と後端との間に位置するように形成されていることを特徴とする請求項１または請求項２に記載の突起付きシート。
【請求項４】
前記複数の副突起は、略同一形状の底面を有し、
前記主突起の底面積は、各前記副突起の底面積より大きいことを特徴とする請求項１〜請求項３のうち何れか一項に記載の突起付きシート。
【請求項５】
前記複数の副突起は、略同一形状の底面を有し、かつその突出寸法も略等しいことを特徴とする請求項１〜請求項４のうち何れか一項に記載の突起付きシート。
【請求項６】
前記主突起は、その突出寸法が、各前記副突起の突出寸法と略等しいことを特徴とする請求項１〜請求項５のうち何れか一項に記載の突起付きシート。
【請求項７】
前記複数の副突起が、少なくとも対を成すように設けられ、
対を成す前記副突起が、前記主突起を挟んで両側に設けられていることを特徴とする請求項１〜請求項６のうち何れか一項に記載の突起付きシート。
【請求項８】
前記副突起が、全部で７個設けられていることを特徴とする請求項１〜請求項７のうち何れか一項に記載の突起付きシート。
【請求項９】
前記ベース、前記主突起、及び前記複数の副突起が、弾性を有する材料により一体的に成形されていることを特徴とする請求項１〜請求項８のうち何れか一項に記載の突起付きシート。
【請求項１０】
前記材料は、クリスタルゲル（登録商標）であることを特徴とする請求項９に記載の突起付きシート。
【発明の詳細な説明】
【技術分野】
【０００１】
本発明は、突起付きシートに関する。
【背景技術】
【０００２】
従来、インソール、靴下、足袋として用いられて足底を刺激する足底感覚刺激用インソールが開示されている（例えば、特許文献１参照）。特許文献１に開示された足底感覚刺激用インソールは、足底とほぼ同一の外形を有するシート状の本体と、この本体の上面（使用時に足底が乗る面）に設けられた突出部を有する。突出部は、足底の第１〜第５中足骨頭から足趾尖までの関節部位のいずれかと、踵部位とに対応する部分に設けられている。突出部は第１基節骨と第１末節骨との関節部位に対応する部分に設けられ、突出部は第５基節骨と第５中節骨との関節部位に対応する部分に設けられ、突出部は第１中足骨と第１基節骨との関節部位に対応する部分に設けられている。この例では、突出部は関節部位と同程度の大きさの半球状の形状を有し、突出部は踵部位のほぼ最下端を中心とする部位と同程度の大きさの半球状の形状を有する。
【先行技術文献】
【特許文献】
【０００３】
【特許文献１】特開２０１７−２０５５１０公報
【発明の概要】
【発明が解決しようとする課題】
【０００４】
ところで、特定部位を押圧する場合にあって、当該特定部位を中心として円を描くように押圧することで、押圧の効果が高められる場合がある。
【０００５】
本発明は、特定部位を押圧することの効果の向上を図った突起付きシートを提供することを目的とする。
【課題を解決するための手段】
【０００６】
上記目的を解決するために本発明は以下の構成を備える。
即ち、本発明は、ベースと、該ベースに形成された突起部と、を有し、前記突起部が、主突起と、該主突起の周囲に位置する複数の副突起と、を備え、前記主突起が、足裏の第２指と第３指との間の水かきから踵側の後端までを結ぶ仮想線上において、前記水かきから、前記仮想線の全長の１／３の距離だけ前記後端側の位置を押圧可能に形成されていることを特徴とする突起付きシートである。
【０００７】
以上のような本発明によれば、ベースと、該ベースに形成された突起部と、を有し、突起部が、主突起と、該主突起の周囲に位置する複数の副突起と、を備え、主突起が、足裏の第２指と第３指との間の水かきから踵側の後端までを結ぶ仮想線上において、水かきから、仮想線の全長の１／３の距離だけ後端側の位置を押圧するように形成されている。即ち、主突起が、経穴部位の湧泉を押圧可能に形成されている。つまり、主突起により湧泉が刺激される。これにより、足の裏にある筋肉が緩められ、血行不良が改善されて、疲労の回復が促進される。
【０００８】
また、突起部が、主突起と、該主突起の周囲に位置する複数の副突起と、を備えていることにより、主突起により湧泉が押圧され、副突起により湧泉を中心として円を描くように湧泉の周囲が押圧される。
【０００９】
また、ベースは、踵側の後端が、足裏の土踏まずの前端と後端との間に位置するように形成されていることが好ましい。
【００１０】
これによれば、ベースが足裏に設けられ、突起部が足裏を押圧可能な状態で、例えば歩行した際における、ベースが踵側に引っ張られる等の足裏に対するベースの相対的な移動（位置ずれ）が抑制される。さらに、突起付きシートがストッパーの役割を果たすことで、つま先の前滑りが抑制される。
【００１１】
また、複数の副突起は、略同一形状の底面を有し、主突起の底面積は、各副突起の底面積より大きいことが好ましい。
【００１２】
これによれば、主突起は副突起に比して、足裏に対する接触面積が大きいから、経穴部位の湧泉を含む部位が押圧されて、経穴部位の湧泉の押圧の効果を高めることができる。
【００１３】
また、複数の副突起は、略同一形状の底面を有し、かつその突出寸法も略等しいことが好ましい。
【００１４】
これによれば、複数の副突起により、適宜な力で湧泉の周囲が押圧されるから、経穴部位の湧泉の押圧の効果をより一層、高めることができる。ここで、複数の副突起が、例えば、湧泉とは異なる経穴部位を押圧可能な位置にある場合には、各副突起が押圧する位置にある経穴部位を刺激することができる。
【００１５】
また、主突起は、その突出寸法が、各副突起の突出寸法と略等しいことが好ましい。
【００１６】
これによれば、主突起及び複数の副突起により、適宜な力で足裏の特定部位が押圧されるから、特定部位への押圧の効果がより一層、高められる。
【００１７】
また、複数の副突起が、少なくとも対を成すように設けられ、対を成す副突起が、主突起を挟んで両側に設けられていることが好ましい。
【００１８】
これによれば、特定部位への押圧の効果が高められる。
【００１９】
また、副突起が、全部で７個設けられていることが好ましい。
【００２０】
これによれば、特定部位への押圧の効果が高められる。
【００２１】
また、ベース、主突起、及び複数の副突起が、弾性を有する材料により一体的に成形されていることが好ましい。
【００２２】
これによれば、特定部位への押圧の効果が高められる。さらに、弾性を有する材料によって、クッション性が発揮されて、例えば腰や膝への衝撃が吸収される。
【００２３】
また、材料は、クリスタルゲル（登録商標）であることが好ましい。
【００２４】
これによれば、ベースが適宜な位置にフィットされる。
【発明の効果】
【００２５】
本発明によれば、特定部位を押圧することの効果の向上を図ることができる。
【図面の簡単な説明】
【００２６】
【図１】本発明の一実施の形態にかかる突起付きシートが適用された靴を示す斜視図である。
【図２】前記突起付きシートの突起部が押圧する部位を模式的に示す平面図である。
【図３】前記突起付きシートを示す斜視図である。
【図４】前記突起付きシートを示す平面図である。
【図５】左方の前記突起付きシートを左方から見た側面図である。
【図６】前記突起付きシートを右方から見た側面図である。
【図７】図４中のＩ−Ｉ線に沿う断面図である。
【図８】前記突起付きシートの突起部の位置関係を説明するための平面図である。
【発明を実施するための形態】
【００２７】
以下、本発明の例示的一態様である実施形態にかかる突起付きシートとしての足つぼインソールが適用された靴を図１〜図８を参照して説明する。図１は、本発明の一実施の形態にかかる足つぼインソールが適用された靴を示す斜視図である。図２は、足つぼインソールの突起部が押圧する部位を模式的に示す平面図である。図３は、図１に示された足つぼインソールを示す斜視図である。
【００２８】
図１、図２に示すように、足つぼインソール１（以下、インソール１と記す場合がある）は、本実施形態では、靴Ｓの中底Ｓ１１に設置されて、足裏ＦＳ（図２に示す）の経穴部位としての湧泉Ｙ（図２に示す）等を押圧するものである。以下では、使用者が、インソール１が中底Ｓ１１に敷かれた靴Ｓを履いた際に、インソール１が使用者の足裏ＦＳの適切な位置に配置された状態を「装着状態」と記す場合がある。
【００２９】
インソール１は、左右の靴Ｓの中底Ｓ１１それぞれに敷かれるように一対設けられている。以下では、左足の足裏ＦＳに設けられるインソールを「左方のインソール１Ｌ（１）」と記し、右足の足裏ＦＳに設けられるインソールを「右方のインソール１Ｒ（１）」と記す場合がある。また、図面において、左右の靴Ｓのつま先側を「前方」と記し、左右の靴Ｓの踵側を「後方」と記し、前後左右に直交する鉛直方向を「上下方向」と記す場合がある。
【００３０】
各インソール１は、図２〜図７に示すように、略一定の厚さに形成されたベース２と、ベース２に形成された突起部３と、を一体に有して形成されている。各インソール１は、クリスタルゲル（登録商標）を用いて成形された樹脂成型品であり、金型を用いた射出成形により製造されている。右方のインソール１Ｒと左方のインソール１Ｌとは左右対称となるように形成されている。右方のインソール１Ｒと左方のインソール１Ｌは略同一機能乃至略同一構成を有して形成されている。
【００３１】
ベース２は、図２、図３に示すように、足Ｆの第１指Ｆ１、第２指Ｆ２、第３指Ｆ３、第４指Ｆ４、第５指Ｆ５、の各指の付け根近傍部Ｆ１ａ、Ｆ２ａ、Ｆ３ａ、Ｆ４ａ、Ｆ５ａに位置される前端縁２０と、前端縁２０に連続される左右の側縁２１、２２と、を有して形成されている。左右の側縁２１、２２は、踵側の後端２３（以下、ベース２の後端２３と記す場合がある）で連続されている。
【００３２】
ベース２は、図２、図３に示すように、足Ｆの第１指Ｆ１、第２指Ｆ２、第３指Ｆ３、第４指Ｆ４、第５指Ｆ５、の各指の付け根近傍部Ｆ１ａ、Ｆ２ａ、Ｆ３ａ、Ｆ４ａ、Ｆ５ａ及び足裏ＦＳの小指球Ｆ１０、指尖球Ｆ１１、母指球Ｆ１２に接触可能な大きさに形成されているとともに、ベース２の後端２３は、足裏ＦＳの土踏まずＦ１３の前端Ｆ１３ｆと後端Ｆ１３ｂとの間に位置する大きさに形成されている。即ち、ベース２の後端２３は、装着状態で、足裏ＦＳの踵Ｆ１４に接触しない大きさになるように形成されている。これにより、装着状態で、使用者が歩行した際に、ベース２が、足裏ＦＳの踵Ｆ１４側に引っ張られる等のベース２と足裏ＦＳの位置ずれが抑制される。また、ベース２の上面２Ａには、滑止め加工が施されている。滑止め加工として、ベース２の上面２Ａには、直線状に延在された溝部（不図示）が、溝部の延在方向に直交する方向に複数形成されている。また、ベース２の上面２Ａには、その全周に、縁（端）２０、２１、２２、２３に向かうにしたがって、ベース２の厚さが薄くなるような段部２４（図３に示す）が設けられている。段部２４は、捲り抑制部として機能する。
【００３３】
図４に示すように、前端縁２０は、左右の外方に進むにしたがってやや後方に向けて斜めに設けられて、装着状態で、足Ｆの第１指Ｆ１、第２指Ｆ２、第３指Ｆ３、第４指Ｆ４、第５指Ｆ５の各指の付け根近傍部Ｆ１ａ、Ｆ２ａ、Ｆ３ａ、Ｆ４ａ、Ｆ５ａに位置されるように形成されている。
【００３４】
突起部３は、経穴部位としての湧泉Ｙを押圧可能な主突起３１と、主突起３１の周囲にある複数（図示例では７個）の副突起３２と、を有して構成されている。主突起３１及び副突起３２の各上面には、滑止め加工が施されている。即ち、各上面３Ａには、上方に向かうにしたがって徐々に径寸法が小さくなるように形成された上面視が円形の溝部（不図示）が形成されている。
【００３５】
主突起３１は、ベース２の上面２Ａの左右及び前後の略中心に位置されている。主突起３１は、装着状態において、足裏ＦＳの第２指Ｆ２と第３指Ｆ３との間の水かきＦｂから踵側の後端Ｓｂまでを結ぶ仮想線Ｐ上において、水かきＦｂから、仮想線Ｐの全長の１／３の距離だけ後端側にある経穴部位としての湧泉Ｙを押圧可能な位置にある。また、主突起３１は、円形の底面３１０を有し、上方に向かうにしたがって徐々にその径が小さくなるような半球状に形成されている。本実施形態では、主突起３１は、底面３１０の直径寸法３１Ｌが１７ｍｍ、突出寸法３１Ｔが５ｍｍとなるように形成されている。
【００３６】
７個の副突起３２は、略同一形状と成るように形成されている。各副突起３２は、円形の底面３２０を有し、上方に向かうにしたがって徐々にその径が小さくなるような半球状に形成されている。本実施形態では、副突起３２は、底面３２０の直径寸法３２Ｌが１２ｍｍ、突出寸法３２Ｔが５ｍｍとなるように形成されている。即ち、副突起３２の底面３２０の径寸法３２Ｌ（底面積）は、主突起３１の底面３２０の径寸法３１Ｌ（底面積）より小さくなるように形成されている。また、図５から図７に示すように、副突起３２の突出寸法３２Ｔと主突起３１の突出寸法３１Ｔは、略等しい寸法となるように形成されている。
【００３７】
尚、本実施形態において、上記各寸法等はあくまでも一例であり、本発明においては用途に応じて適宜設計すればよく、主突起３１の底面３２０の直径寸法３１Ｌが、１５ｍｍ以上１９ｍｍ以下、突出寸法３１Ｔが、４ｍｍ以上６ｍｍ以下であればよく、副突起３２の底面３２０の直径寸法３２Ｌが、１０ｍｍ以上１４ｍｍ以下、突出寸法３２Ｔが、４ｍｍ以上６ｍｍ以下であればよい。
【００３８】
７個の副突起３２は、第１副突起３２Ａ、第２副突起３Ｂ、第３副突起３２Ｃ、第４副突起３２Ｄ、第５副突起３２Ｅ、第６副突起３２Ｆ、第７副突起３２Ｇから構成されている。第１副突起３２Ａと第２副突起３Ｂは、主突起３１を挟んで両側に設けられている。第３副突起３２Ｃと第４副突起３２Ｄは、主突起３１を挟んで両側に設けられている。第５副突起３２Ｅと第６副突起３２Ｆは、主突起３１を挟んで両側に設けられている。第１副突起３２Ａは、目に対応する足裏ＦＳの経穴を押圧可能な位置にある。第２副突起３Ｂは、膵臓に対応する足裏ＦＳの経穴を押圧可能な位置にある。第３副突起３２Ｃは、肩に対応する足裏ＦＳの経穴を押圧可能な位置にある。第４副突起３２Ｄは、心臓に対応する足裏ＦＳの経穴を押圧可能な位置にある。第５副突起３２Ｅは、首に対応する足裏ＦＳの経穴を押圧可能な位置にある。第６副突起３２Ｆは、肝臓に対応する足裏ＦＳの経穴を押圧可能な位置にある。第７副突起３２Ｇは、耳に対応する足裏ＦＳの経穴を押圧可能な位置にある。
【００３９】
図８に示すように、本実施形態において、第１副突起３２Ａの中心Ｐ３２Ａは、仮想線Ｐに直交する線のうち主突起３１の中心Ｐ３１より左右の内方にある基準線Ｔと、中心Ｐ３２Ａ及び中心Ｐ３１とを結ぶ線分とが成す角θＡが８１度となりかつ、中心Ｐ３１から当該線分に沿って２２ｍｍだけ移動した位置に設けられている。第２副突起３２Ｂの中心Ｐ３２Ｂは、基準線Ｔと、中心Ｐ３２Ｂ及び中心Ｐ３１とを結ぶ線分とが成す角θＢが２７０度となりかつ、中心Ｐ３１から当該線分に沿って２４ｍｍだけ移動した位置に設けられている。第３副突起３２Ｃの中心Ｐ３２Ｃは、基準線Ｔと、中心Ｐ３２Ｃ及び中心Ｐ３１とを結ぶ線分とが成す角θＣが３４５度となりかつ、中心Ｐ３１から当該線分に沿って２１ｍｍだけ移動した位置に設けられている。第４副突起３２Ｄの中心Ｐ３２Ｄは、基準線Ｔと、中心Ｐ３２Ｄ及び中心Ｐ３１とを結ぶ線分とが成す角θＤが１６０度となりかつ、中心Ｐ３１から当該線分に沿って２２ｍｍだけ移動した位置に設けられている。第５副突起３２Ｅの中心Ｐ３２Ｅは、基準線Ｔと、中心Ｐ３２Ｅ及び中心Ｐ３１とを結ぶ線分とが成す角θＥが１１８度となりかつ、中心Ｐ３１から当該線分に沿って３０ｍｍだけ移動した位置に設けられている。第６副突起３２Ｆの中心Ｐ３２Ｆは、基準線Ｔと、中心Ｐ３２Ｆ及び中心Ｐ３１とを結ぶ線分とが成す角θＦが３１０度となりかつ、中心Ｐ３１から当該線分に沿って２９ｍｍだけ移動した位置に設けられている。第７副突起３２Ｇの中心Ｐ３２Ｇは、基準線Ｔと、中心Ｐ３２Ｇ及び中心Ｐ３１とを結ぶ線分とが成す角θＧが５８度となりかつ、中心Ｐ３１から当該線分に沿って３１ｍｍだけ移動した位置に設けられている。
【００４０】
このようなインソール１は、例えば靴Ｓとしてオープントゥハイヒール等の中底Ｓ１１のつま先側において、主突起３１が、足裏ＦＳの経穴部位である湧泉Ｙを押圧可能な位置となり、さらに、突起部３がベース２より上方に位置するように設置する。この状態で、使用者が例えば起立したり、歩行した際に、主突起３１により足裏ＦＳの湧泉Ｙが刺激される。これにより、足裏ＦＳにある筋肉が緩められ、血行不良が改善されて、疲労の回復が促進される。また、突起部３が、主突起３１と、該主突起３１の周囲に位置する複数の副突起３２と、を備えていることにより、主突起３１により湧泉Ｙが押圧され、湧泉Ｙを中心として円を描くように、副突起３２により押圧される。従って、特定部位を押圧することの効果の向上を図ることができる。
【００４１】
また、ベース２は、踵側の後端が、足裏ＦＳの土踏まずＦ１３の前端Ｆ１３ｆと後端Ｆ１３ｂとの間に位置するように形成されている。これによれば、ベース２が足裏ＦＳに設けられ、突起部３が足裏ＦＳを押圧可能な状態で、例えば歩行した際における、ベース２が踵側に引っ張られる等の足裏ＦＳに対するベース２の相対的な移動（位置ずれ）が抑制される。さらに、インソール１（突起付きシート）がストッパーの役割を果たすことで、つま先の前滑りを抑制することができる。
【００４２】
また、複数の副突起３２は、略同一形状の底面３２０を有し、主突起３１の底面積は、各副突起３２の底面積より大きくなるように形成されている。これによれば、主突起３１は副突起３２に比して、足裏ＦＳに対する接触面積が大きいから、経穴部位の湧泉Ｙを含む部位が押圧されて、経穴部位の湧泉Ｙの押圧の効果を高めることができる。
【００４３】
また、複数の副突起３２は、略同一形状の底面３２０を有し、かつその突出寸法３２Ｔも略等しくなるように形成されている。これによれば、複数の副突起３２により、適宜な力で湧泉Ｙの周囲が押圧されるから、経穴部位の湧泉Ｙの押圧の効果をより一層、高めることができる。ここで、複数の副突起３２が、例えば、湧泉Ｙとは異なる経穴部位を押圧可能な位置にある場合には、各副突起３２が押圧する位置にある経穴部位を刺激することができる。
【００４４】
また、主突起３１は、その突出寸法３１Ｔが、各副突起３２の突出寸法３２Ｔと略等しくなるように形成されている。これによれば、主突起３１及び複数の副突起３２により、適宜な力で足裏ＦＳの特定部位が押圧されるから、特定部位への押圧の効果をより一層、高めることができる。
【００４５】
また、複数の副突起３２が、少なくとも対を成すように設けられ、対を成す副突起３２が、主突起３１を挟んで両側に設けられている。これによれば、特定部位への押圧の効果を高めることができる。
【００４６】
また、副突起３２が、全部で７個設けられている。これによれば、特定部位への押圧の効果を高めることができる。
【００４７】
また、ベース２、主突起３１、及び複数の副突起３２が、弾性を有する材料により一体的に成形されている。これによれば、特定部位への押圧の効果が高められる。さらに、弾性を有する材料によって、クッション性が発揮されて、例えば腰や膝への衝撃を吸収することができる。
【００４８】
また、材料は、クリスタルゲル（登録商標）である。これによれば、ベース２が例えば足裏ＦＳ等の適宜な位置にフィットさせることができる。
【００４９】
なお、本発明は、前記実施形態に限定されるものではなく、本発明の目的が達成できる他の構成等を含み、以下に示すような変形等も本発明に含まれる。
【００５０】
即ち、上述した実施形態では、各インソール１は、クリスタルゲル（登録商標）により成形されるが本発明はこれに限定されるものではない。即ち、各インソールは、熱可塑性樹脂から形成されていればよく、各インソールは、好ましくは、弾性を有する材料から成形されていればよい。また、各インソールは、一種類の材料のみから構成されていても、複数の材料を組み合わせた複数の材料から構成されていてもよい。
【００５１】
また、本実施形態では、各インソール１が、靴Ｓの中底Ｓ１１に敷かれた一例を説明しているが、本発明はこれに限定されるものではない。各インソール１は、例えば、靴下や足袋の内部において、足裏ＦＳに直接設けられていてもよい。
【００５２】
前述した各実施形態は本発明の好ましい形態を示したに過ぎず、本発明は、これら実施形態に限定されるものではない。即ち、当業者は、従来公知の知見に従い、本発明の骨子を逸脱しない範囲で種々改変して実施することができる。かかる改変によってもなお本発明の突起付きシートの構成を具備する限り、勿論、本発明の範疇に含まれるものである。
【符号の説明】
【００５３】
１      突起付きシート
２      ベース
３      突起部
３１    主突起
３１Ｔ  突出寸法
３１０  底面
３２    副突起
３２Ｔ  突出寸法
３２０  底面
ＦＳ    足裏
Ｆｂ    水かき
Ｆ２    第２指
Ｆ３    第３指
Ｆ１３  土踏まず
Ｆ１４  踵
Ｐ      仮想線
Ｙ      湧泉
【図１】
2019146880.tif 000003
【図２】
2019146880.tif 000004
【図３】
2019146880.tif 000005
【図４】
2019146880.tif 000006
【図５】
2019146880.tif 000007
【図６】
2019146880.tif 000008
【図７】
2019146880.tif 000009
【図８】
2019146880.tif 000010